(57)【要約】【課題】後処理装置のスイッチで機能が有効化されている場合に、必要とされていない後処理が実行されてしまうことを防ぐ。【解決手段】後処理機能の有効化／無効化スイッチを備えたパンチャ２００が提供される。画像形成装置１０に登録されたパンチダイ２８０がパンチャ２００に装着されている場合、画像形成装置１０から、パンチダイを用いた後処理を行うか否かの情報を取得する。パンチダイ２８０を用いた後処理を行わないとの情報が得られた場合には、後処理機能が有効化されていても、その後処理を行わない。【選択図】図１
2019167249.tif 000002
【特許請求の範囲】
【請求項１】
装着された後処理部材を使用して、画像形成装置から受け取ったシートに対して後処理を行うとともに、前記後処理部材としての第１後処理部材と第２後処理部材との一方が着脱可能に設けられる後処理装置であって、前記後処理装置は、
前記装着された後処理部材が前記第１後処理部材と前記第２後処理部材とのいずれであるかを検知する検知手段、
前記装着された後処理部材を用いた後処理の実行を制御する制御手段、及び、
前記第２後処理部材を用いた後処理を有効化するか否かの設定を受け付ける設定手段を有し、
前記制御手段は、前記検知手段により検知された後処理部材が前記第１後処理部材で、かつ、前記第１後処理部材を用いた後処理を実行しないとの情報を前記画像形成装置から受け取った場合は、前記設定手段で前記第２後処理部材を用いた後処理が有効化されていても前記シートに対して前記第１後処理部材を用いた後処理を実行しないと決定することを特徴とする、
後処理装置。
【請求項２】
前記制御手段は、前記検知された後処理部材が前記第１後処理部材であるときは、前記設定手段での設定にかかわらず、前記画像形成装置からの情報に従って、前記第１後処理部材を用いた後処理を実行するか否かを決定することを特徴とする、
請求項１に記載の後処理装置。
【請求項３】
前記後処理部材は、当該後処理部材を識別するための情報が記憶された記憶手段を有し、
前記検知手段は、前記記憶手段から読み出した情報から、前記装着された後処理部材が前記第１後処理部材または前記第２後処理部材のいずれであるかを検知することを特徴とする、
請求項１又は２に記載の後処理装置。
【請求項４】
前記制御手段は、前記第２後処理部材が前記後処理装置に装着されている場合には、前記画像形成装置から得られる、前記第１後処理部材を用いた後処理に関する情報にかかわらず、前記設定手段での設定に従って前記第２後処理部材を用いた後処理を行うか否かを決定することを特徴とする、
請求項１〜３のいずれか１項に記載の後処理装置。
【請求項５】
装着された後処理部材を使用して、画像形成装置から受け取ったシートに対して後処理を行うとともに、前記後処理部材としてそれぞれ着脱可能な複数種類の後処理部材が設けられる後処理装置であって、前記後処理装置は、
前記装着された後処理部材を識別する識別手段、
前記装着された後処理部材を用いた後処理の実行を制御する制御手段、及び、
前記後処理装置での前記後処理部材による後処理を有効化するか否かの設定を受け付ける設定手段を有し、
前記制御手段は、前記識別手段で識別された後処理部材が前記画像形成装置に登録されていて、かつ、前記識別された後処理部材を用いた後処理を実行しないとの情報を前記画像形成装置から受け取った場合は、前記設定手段で前記後処理が有効化されていても前記シートに対して前記識別された後処理部材を用いた後処理を実行しないと決定することを特徴とする、
後処理装置。
【請求項６】
前記制御手段は、前記識別された後処理部材が前記画像形成装置に登録されているときは、前記設定手段での設定にかかわらず、前記画像形成装置から得られる、前記識別された後処理部材を用いた後処理を実行するか否かを指定する情報に従って後処理を実行するか否かを決定することを特徴とする、
請求項５に記載の後処理装置。
【請求項７】
前記後処理部材は、当該後処理部材を識別するための情報が記憶された記憶手段を有し、
前記識別手段は、前記記憶手段から読み出した情報から、前記装着された後処理部材を識別する、
請求項５又は６に記載の後処理装置。
【請求項８】
前記制御手段は、前記識別された後処理部材が前記画像形成装置に登録されていないときには、前記画像形成装置から得られる情報にかかわらず、前記設定手段での設定に従って前記識別された後処理部材を用いた後処理を行うか否かを決定することを特徴とする、
請求項５〜７のいずれか１項に記載の後処理装置。
【請求項９】
装着された後処理部材を使用して、画像形成装置から受け取ったシートに対して後処理を行うとともに、前記後処理部材としての第１後処理部材と第２後処理部材との一方が着脱可能に設けられる後処理装置が実行する方法であって、
前記装着された後処理部材が前記第１後処理部材と前記第２後処理部材とのいずれであるかを検知し、
前記第２後処理部材を用いた後処理を有効化するか否かの設定をユーザから受け付け、
前記検知された後処理部材が前記第１後処理部材で、かつ、前記第１後処理部材を用いた後処理を実行しないとの情報を前記画像形成装置から受け取った場合、前記設定で前記第２後処理部材を用いた後処理が有効化されていても前記シートに対して前記第１後処理部材を用いた後処理を実行しないと決定することを特徴とする、
方法。
【請求項１０】
装着された後処理部材を使用して、画像形成装置から受け取ったシートに対して後処理を行うとともに、前記後処理部材としてそれぞれ着脱可能な複数種類の後処理部材が設けられる後処理装置が実行する方法であって、
前記装着された後処理部材を識別し、
前記後処理装置での前記後処理部材による後処理を有効化するか否かの設定をユーザから受け付け、
前記識別された後処理部材が前記画像形成装置に登録されていて、かつ、前記識別された後処理部材を用いた後処理を実行しないとの情報を前記画像形成装置から受け取った場合、前記設定で前記後処理が有効化されていても前記シートに対して前記識別された後処理部材を用いた後処理を実行しないと決定することを特徴とする、
方法。
【請求項１１】
画像形成装置と、
装着された後処理部材を使用して、前記画像形成装置から受け取ったシートに対して後処理を行うとともに、前記後処理部材としての第１後処理部材と第２後処理部材との一方が着脱可能に設けられる後処理装置と、
を備えた画像形成システムであって、
前記画像形成装置は、ユーザから入力される、前記第１後処理部材を用いた後処理を実行しないことを表す第１設定を受け付ける第１設定手段を有し、
前記後処理装置は、前記装着された後処理部材が前記第１後処理部材と前記第２後処理部材とのいずれであるかを検知する検知手段、前記装着された後処理部材を用いた後処理の実行を制御する制御手段、及び、前記第２後処理部材を用いた後処理を有効化するか否かを表す第２設定を受け付ける第２設定手段を有し、
前記制御手段は、前記画像形成システムに前記第１後処理部材が設けられていて、かつ、前記第１設定手段から前記第１設定を取得した場合は、前記設定手段で前記第２後処理部材を用いた後処理が有効化されていても前記シートに対して前記第１後処理部材を用いた後処理を実行しないと決定することを特徴とする、
画像形成システム。
【請求項１２】
画像形成装置と、
後処理部材を使用して、画像形成装置から受け取ったシートに対して後処理を行うとともに、前記後処理部材としてそれぞれ着脱可能な複数種類の後処理部材が設けられる後処理装置と、を備えた画像形成システムであって、
前記画像形成装置は、ユーザから入力される、前記後処理部材のうち前記画像形成装置に登録された種類の後処理部材を用いた後処理を実行しないことを表す第１設定を受け付ける第１設定手段を有し、
前記後処理装置は、前記後処理装置に設けられた後処理部材を識別する識別手段、前記後処理装置での前記後処理部材を用いた後処理の実行を制御する制御手段、及び、前記後処理部材による後処理を有効化するか否かを表す第２設定を受け付ける第２設定手段を有し、
前記制御手段は、前記識別手段で識別された後処理部材が前記画像形成装置に登録されていて、かつ、前記識別された後処理部材を用いた後処理を実行しないとの情報を前記画像形成装置から受け取った場合は、前記第２設定手段で前記後処理が有効化されていても前記シートに対して前記識別された後処理部材を用いた後処理を実行しないと決定することを特徴とする、
後処理装置。
【発明の詳細な説明】
【技術分野】
【０００１】
本発明は、画像形成装置に接続される後処理装置、後処理方法及び画像形成システムに関する。
【背景技術】
【０００２】
従来、複写機などの画像形成装置において、画像形成装置から搬送されたシートに対して、パンチ処理、ステイプル処理及びソート処理などの後処理を行う後処理装置が知られている。
特許文献１では、画像形成装置から搬送されたシートに対して、シート搬送方向の先端付近にパンチ処理をする後処理装置が提案されている。パンチ処理においては、必要に応じて、パンチ穴の大きさや形状、数等を変更することが求められる場合もある。
【０００３】
従って、後処理装置では、パンチ穴の形状や数が異なる複数のパンチダイを用意し、複数のパンチダイを必要に応じて交換することで、パンチ穴の大きさ等の変更に対応している。
さらに、パンチダイの代わりに筋付け用のクリースダイを装着するなど、後処理装置にパンチ以外の機能を提供することも提案されている。クリースダイを装着することで、シートに対してクリース筋と呼ばれる筋を付けるクリース処理を実行することができる。
【０００４】
後処理装置に様々な機能が追加される場合、画像形成装置においても、追加された機能を有効とするためのハードウェアの変更やソフトウェアなどの装置構成の変更などの対応が必要である。そのため、画像形成装置や後処理装置の開発における作業量が増大するおそれがある。また、機能を追加する作業により新機種の発売時期が遅れる場合がある。
そこで、後付けした機能に付随する装置構成の変更は後処理装置のみで行い、画像形成装置における装置構成の変更を不要とする技術が知られている。
【先行技術文献】
【特許文献】
【０００５】
【特許文献１】特開２００７−６２９１２
【発明の概要】
【発明が解決しようとする課題】
【０００６】
後付けした機能を後処理装置だけで有効にする方法として、画像形成装置からの制御とは独立して、後処理装置において機能を有効化するか無効化するかを切換える方法がある。この場合、後処理装置に新しい機能が組み込まれた場合でも、画像形成装置側から新しい機能を実行するための通知を必要とすることなく新しい機能を有効化することが可能となる。
【０００７】
従って、画像形成装置において装置構成の変更を必要としないことから、新しい機能を組み込んだ後に処理装置を既存の画像形成装置と組み合わせて容易にシステムを構築することが可能となる。以下、パンチ処理の実行制御を行う画像形成装置と、パンチ処理を実行するためのパンチダイを有する後処理装置と、を有する画像形成システムを例にして説明する。
【０００８】
画像形成システムの後処理装置において、パンチ処理を行うためのパンチダイを、クリース処理を行うためのクリースダイと交換可能とすることで、クリース機能を追加する場合がある。この場合、後処理装置に後処理の有効化／無効化のためのスイッチを設け、後処理装置単独で後処理機能の有効化／無効化を決定する。従って、後処理装置にパンチダイが装着されている場合にはパンチ処理、クリースダイが装着されている場合にはクリース処理を実行することができる。
【０００９】
ユーザは、必要に応じてパンチダイとクリースダイとを交換することで、パンチ処理を実行するか、クリース処理を実行するかを選択する。パンチ処理が必要である場合、ユーザは、後処理装置にパンチダイを組み込んだ状態で切換スイッチにより後処理を有効化してパンチ処理を実行する。
【００１０】
しかし、ユーザがパンチ処理を望まず、画像形成装置から後処理装置へとパンチ処理を通知しない場合であっても、後処理装置のスイッチで機能が有効化されている場合にはパンチ処理が実行されてしまう。後処理装置における画像形成装置とは独立して後処理機能の有効化／無効化を決定するからである。
【００１１】
つまり、クリース機能追加前においては、ユーザは画像形成装置を通じてパンチ処理を実行するか否かを選択できていたにもかかわらず、機能追加後には、ユーザの意に反してパンチ処理が実行される場合がある。
このように、後処理装置のスイッチで機能が有効化されている場合、画像形成装置からパンチ処理の通知がなされていない場合であっても、後処理が実行されてしまうという課題が残されていた。
【課題を解決するための手段】
【００１２】
上記課題を解決するために、本発明の１実施形態にかかる後処理装置は、装着された後処理部材を使用して、画像形成装置から受け取ったシートに対して後処理を行うとともに、前記後処理部材としての第１後処理部材と第２後処理部材との一方が着脱可能に設けられる。また、前記後処理装置は、前記装着された後処理部材が前記第１後処理部材と前記第２後処理部材とのいずれであるかを検知する検知手段、前記装着された後処理部材を用いた後処理の実行を制御する制御手段、及び、前記第２後処理部材を用いた後処理を有効化するか否かの設定を受け付ける設定手段を有し、前記制御手段は、前記検知手段により検知された後処理部材が前記第１後処理部材で、かつ、前記第１後処理部材を用いた後処理を実行しないとの情報を前記画像形成装置から受け取った場合は、前記設定手段で前記第２後処理部材を用いた後処理が有効化されていても前記シートに対して前記第１後処理部材を用いた後処理を実行しないと決定する。
【発明の効果】
【００１３】
本発明によれば、後処理装置に装着されているダイを検知し、画像形成装置からの情報と後処理を有効化するか否かのユーザによる設定とに応じて後処理を実行するか否かを適切に決定することが可能となる。
【図面の簡単な説明】
【００１４】
【図１】画像形成システムの主要部の縦断面図。
【図２】コントローラの機能ブロック図。
【図３】操作表示装置の説明図。
【図４】パンチャの全体断面図。
【図５】パンチャブロック図。
【図６】（ａ）はパンチ処理されたシート、（ｂ）はクリース処理されたシートの説明図。
【図７】フィニッシャの断面図。
【図８】フィニッシャの機能ブロック図。
【図９】仕上げ選択画面の説明図。
【図１０】（ａ）、（ｂ）はシート情報の説明図。
【図１１】（ａ）、（ｂ）はクリース切換スイッチの説明図。
【図１２】パンチャの動作を表すフローチャート。
【図１３】（ａ）、（ｂ）はパンチャの一部拡大図。
【図１４】（ａ）、（ｂ）はパンチャの一部拡大図。
【図１５】ダイ通信処理を表すフローチャート。
【図１６】後処理モード決定のフローチャート。
【図１７】後処理におけるシステム動作を表すマトリクス。
【図１８】（ａ）、（ｂ）は後処理モード切換スイッチの説明図。
【図１９】第２実施形態のダイ通信処理を表すフローチャート。
【図２０】第２実施形態の後処理モード決定処理を表すフローチャート。
【図２１】機種情報を示す対応表。
【図２２】後処理におけるシステム動作を表すマトリクス。
【発明を実施するための形態】
【００１５】
以下に本発明の実施の形態について図を参照しながら説明する。
[第１実施形態]
（全体構成）
図１に、本発明の第１の実施形態に係る画像形成システム１の主要部の縦断面図を示す。画像形成システム１は、図１に示すように、画像形成装置１０と、後処理装置であるパンチャ２００及びフィニッシャ５００と、を有する。
画像形成装置１０は、原稿給送装置４００、原稿から画像を読み取るイメージリーダ３００、読み取った画像をシート上に形成するプリンタ１００を備えている。
【００１６】
原稿給送装置４００は、原稿トレイ４０１上に上向きにセットされた原稿を先頭ページから順に１枚ずつ図１の左方向へ給紙し、湾曲したパスを介してプラテンガラス３０２上を左から所定の読取位置を経て右へ搬送する。その後、原稿給送装置４００は、外部の排紙トレイ４０２に向けて原稿を排出する。読取位置とは、イメージリーダ３００に備えられたプラテンガラス３０２の所定の読取位置であり、この位置にスキャナユニット３０１が固定されている。
【００１７】
原稿がプラテンガラス３０２上の流し読取位置を左から右へ向けて通過するときに、読取位置に対応する位置に保持されたスキャナユニット３０１によって原稿画像が読取られる。原稿が読取位置を通過する際には、原稿の読取面にスキャナユニット３０１のランプの光が照射され、その原稿からの反射光がミラーを介してレンズ３０３に導かれる。このレンズ３０３を通過した光は、イメージセンサ３０４の撮像面に結像する。
【００１８】
光学的に読取られた画像は、イメージセンサ３０４によって画像データに変換されて出力される。イメージセンサ３０４から出力された画像データは、画像形成装置１０の露光部１０１にビデオ信号として入力される。
画像形成装置１０の露光部１０１は、イメージリーダ３００から入力されたビデオ信号に基づきレーザ光を変調して出力する。レーザ光は、ポリゴンミラー１０６により走査されながら感光ドラム１０２上に照射される。感光ドラム１０２には、走査されたレーザ光に応じた静電潜像が形成される。感光ドラム１０２上の静電潜像は、現像器１０３から供給される現像剤によって現像剤像として可視像化される。
【００１９】
一方、画像形成装置１０内に装備されている上カセット１１１或いは下カセット１１２からピックアップローラ１０７、１０８により給紙されたシートは、給紙ローラ１０９、給紙ローラ１１０によりレジストローラ１１４まで搬送される。シートの先端がレジストローラ１１４まで達したところでレジストローラ１１４を任意のタイミングで駆動する。そして、レーザ光の照射開始と同期したタイミングで、シートを感光ドラム１０２と転写部１０４との間に搬送する。感光ドラム１０２に形成された現像剤像は、給紙されたシート上に転写部１０４により転写される。現像剤像が転写されたシートは、定着部１０５に搬送され、定着部１０５は、シートを加熱及び加圧することによって現像剤像をシート上に定着させる。定着部１０５を通過したシートは、フラッパ１１８及び排出ローラ１１６を経て画像形成装置１０から画像形成装置１０外部（パンチャ２００）に向けて排出される。
【００２０】
ここで、シートをその画像形成面が下向きになる状態（フェイスダウン）で排出するときには、定着部１０５を通過したシートをフラッパ１１８の切換動作により一旦、反転パス１１９内に導く。そしてそのシートの後端がフラッパ１１８を通過した後に、シートをスイッチバックさせて排出ローラ１１６により画像形成装置１０から排出する。この排紙形態を反転排紙と呼ぶ。
【００２１】
更に、シートの両面に画像形成を行う両面記録が設定されている場合には、フラッパ１１８の切換動作によりシートを反転パス１１９、両面反転パス１２０に導いた後に両面搬送パス１２１へ搬送する。そして、両面搬送パス１２１へ導かれたシートを上述したタイミングで感光ドラム１０２と転写部１０４との間に再度給紙する制御が行われる。
【００２２】
(全体システムブロック図)
次に、画像形成システム１全体の制御を司るコントローラの構成及び全体システムブロック図について図２を参照しながら説明する。図２は、図１の画像形成システム１全体の制御を司るコントローラ２の構成を示す機能ブロック図である。
コントローラ２は、ＣＰＵ回路部を含む主制御部９００、原稿給送装置制御部９１１、イメージリーダ制御部９２１、画像信号制御部９２２、プリンタ制御部９３１、操作表示装置制御部９４１及び外部Ｉ／Ｆ９０４を有する。
【００２３】
主制御部９００は、ＣＰＵ９０１、ＲＯＭ９０２、ＲＡＭ９０３を内蔵する。ＣＰＵ９０１は、画像形成システム１全体の基本制御を行い、制御プログラムが書き込まれたＲＯＭ９０２と処理を行うためのＲＡＭ９０３がアドレスバス、データバスにより接続されている。
ＣＰＵ９０１は、ＲＯＭ９０２に格納されている制御プログラムにより各制御部９１１、９２１、９２２、９３１、９４１及び９０４を総括的に制御する。ＲＡＭ９０３は、制御データを一時的に保持し、また制御に伴う演算処理の作業領域として用いられる。また、主制御部９００は、パンチャ２００に設けられたフィニッシャ制御部９５１及びパンチャ２００に設けられたパンチャ制御部９７１と通信を行う。
【００２４】
原稿給送装置制御部９１１は、主制御部９００からの指示に基づき原稿給送装置４００の駆動を制御する。イメージリーダ制御部９２１は、上述のスキャナユニット３０１、イメージセンサ３０４などに対する駆動制御を行い、イメージセンサ３０４から出力された画像信号を画像信号制御部９２２に転送する。
【００２５】
画像信号制御部９２２は、イメージセンサ３０４からのアナログ画像信号をデジタル信号に変換した後に各処理を施し、このデジタル信号をビデオ信号に変換してプリンタ制御部９３１に出力する。また、コンピュータ９０５などの外部装置から外部Ｉ／Ｆ９０４を介して入力されたデジタル画像信号に各種処理を施し、このデジタル画像信号をビデオ信号に変換してプリンタ制御部９３１に出力する。
画像信号制御部９２２による処理動作は、主制御部９００により制御される。
【００２６】
プリンタ制御部９３１は、入力されたビデオ信号に基づき露光部１０１、画像形成装置１０を制御し、画像形成、シート搬送を行う。本実施形態においては、以上説明した原稿給送装置制御部９１１等は画像形成装置１０に設けられる。
操作表示装置制御部９４１は、操作表示装置６００と主制御部９００との間で情報のやり取りを行う。操作表示装置６００は、画像形成に関する各種機能を設定する複数のキー、設定状態を示す情報を表示するための表示部などを有する。各キーの操作に対応するキー信号を主制御部９００に出力するとともに、主制御部９００からの信号に基づき対応する情報を操作表示装置６００に表示する。
【００２７】
一方、本実施形態では、パンチャ制御部９７１はパンチャ２００に搭載されてパンチャ２００の制御を行う。この際、パンチャ制御部９７１は、主制御部９００と通信して情報の送受信を行う。この制御内容については後述する。
フィニッシャ制御部９５１は、フィニッシャ５００に搭載されて、フィニッシャ５００の制御を行う。この際フィニッシャ制御部９５１は、主制御部９００と情報のやり取りを行う。
【００２８】
（操作表示装置） 
図３は、図１の画像形成装置１０における操作表示装置６００を示す図である。操作表示装置６００には、画像形成動作を開始するためのスタートキー６０２、画像形成動作を中断するためのストップキー６０３、数値入力を行うためのテンキー６０４〜６１２及び６１４が設けられている。また、操作表示装置６００には、ＩＤキー６１３、クリアキー６１５、リセットキー６１６なども配置されている。操作表示装置６００の上部には、タッチパネルが形成された表示部６２０が配置されており、画面上にソフトキーを表示することも可能となっている。操作表示装置６００には、更に、両面コピー等の高度な機能を設定するための応用モードキー６２２、厚紙やＯＨＰシート等の用紙を登録しておくための用紙登録キー６２３も配置されている。
【００２９】
画像形成装置１０は、後処理モードとしてノンソート、ソート、シフトソート、ステイプルソート（綴じモード）、パンチモードなどの各処理モードを有する。このような処理モードの設定などは、操作表示装置６００からのユーザによる入力操作を通じて行われる。
この実施形態では、画像形成装置１０は、パンチモードには対応しているが、パンチャ２００にクリースダイを装着してシートにクリース筋を付けるクリースモードには対応していないものとする。より詳細には、画像形成装置１０には、パンチダイは登録されているが、クリースダイは登録されていない。従って、画像形成装置は、パンチダイを用いたパンチ処理を行うか否かを指定する情報をＣＰＵ９７２に与えることができる。しかし、クリースダイを用いたクリース処理を行うか否かを指定する情報をＣＰＵ９７２に与えることはない。
【００３０】
（パンチャ）
次に、パンチャ２００の構成について図４、５を参照しながら説明する。
図４は、図１に示されるパンチャ２００の全体断面図である。パンチャ２００は、画像形成装置１０から排出されたシートを順に取り込み、取り込んだシートにパンチ処理を行う。後述するパンチ処理を行うか否かは、画像形成装置１０から通知されるシート情報に基づいて決定される。
また、パンチャ２００は、その内部にクリースダイを設置することで、画像形成装置１０から排出されたシートにクリース処理を行うことも可能である。クリース処理を実行するか否かは、後述するパンチャ２００上のクリース切換スイッチ２８３の設定を用いてパンチャ制御部９７１によって行われる。
【００３１】
なお、この実施形態では、パンチャ２００にはパンチダイ又はクリースダイのいずれかを設けるものとして説明する。しかし、パンチャ２００には、パンチダイやクリースダイに限らず、任意のタイプのダイを装着して様々な処理をシートに施すことも可能である。
【００３２】
画像形成装置１０から排出されたシートに対してパンチ処理、クリース処理のいずれをも行わない場合、シートは、搬送ローラ２２１、フラッパ２２０によりスルーパス２１９に導かれる。その後、シートは搬送ローラ２０８、２０９を介して、フィニッシャ５００に搬送される。
【００３３】
画像形成装置１０から排出されたシートに対してパンチ処理又はクリース処理を行う場合、シートは搬送ローラ２２１、フラッパ２２０により搬送パス２１６に送られる。搬送ローラ２０１、２０２、２０３によってパンチパス２１７上を搬送されたシートは、所定の位置で停止され、パンチユニット２８０によってパンチ処理又はクリース処理が行われ、図６（ａ）（ｂ）に示すようなシートが生成される。なお、所定位置はパンチ位置や筋付けすべき位置に応じて異なる。
【００３４】
図６（ａ）に示される例は、パンチ処理されたシートを示し、シートの図面左側にパンチ穴が一列に形成されている。図６（ｂ）に示される例は、クリース処理されたシートを示し、シートの中央部に２本のクリース筋が形成されていることが示される。シートにクリース筋が形成されていることにより、該シートをクリース筋に沿って折る場合に、折り易くなる。
本実施形態では、シートを停止させるためローラ２１３でシートをニップして停止する構成としている。
また、パンチユニット２８０は、パンチダイ、クリースダイ等の複数種類のダイを着脱可能な構成とした。
【００３５】
パンチダイとしては、様々な形状や数のパンチ穴を備えたパンチダイを設けることが可能である。これにより、シートに対して、図６（ａ）に示したものとは異なるパンチ処理を行うことができる。
また、パンチユニット２８０に、パンチダイに代えてクリースダイを設けることで、図６（ｂ）のようにクリース処理を施したシートを生成することができる。また、クリースダイも様々な形状や数のクリース筋を形成するためのクリースダイを設けることが可能である。これにより、シートに対して、図６（ｂ）に示したものとは異なるクリース筋を形成することができる。
【００３６】
パンチユニット２８０でパンチ処理又はクリース処理のいずれかが行われた後、搬送ローラ２０４、２０５、２０６、２０７、２０８及びパンチパス２１７を通じて、シートはフィニッシャ５００に搬送される。各パス２１６、２１９には搬送センサ２１１，２１２，２１３が設けられており、それぞれシートの通過を検出している。
【００３７】
（パンチャブロック図）
次に、パンチャ２００を駆動制御するパンチャ制御部９７１の構成について図５を参照しながら説明する。図５は図２のパンチャ制御部９７１の構成を示すブロック図である。
図５において、パンチャ制御部９７１は、ＣＰＵ９７２、ＲＯＭ９７３、ＲＡＭ９７４を有する。パンチャ制御部９７１は、図示しない通信ＩＣを介して画像形成装置１０に設けられた主制御部９００と通信する。これにより、実行すべき処理の情報やシートの受け渡し通知等の送受信を行う。なお、実行すべき処理としてはパンチ処理やクリース処理等があり、これらはパンチジョブ、クリースジョブ等と称することもある。
【００３８】
主制御部９００からの指示により、ＲＯＭ９７３に格納されている各種プログラムを実行してパンチャ２００の駆動制御を行う。
また、パンチャ制御部９７１は、ダイメモリ通信部２８１を介して、パンチユニット２８０にセットされたダイに備えられたダイメモリ２８２と通信を行う。ＣＰＵ９７２は、ダイメモリ２８２に記憶された情報の読み出しや書き込みが正しく行えた場合に、ダイがセットされていると認識する。
【００３９】
以下、パンチャ２００に備えられた各種入出力に関して説明する。
パンチャ２００は、シートの搬送のために、搬送ローラ２０８、２０９、２２１を駆動するスルーパス搬送モータＭ２１、搬送ローラ２０１〜２０７を駆動するパンチパス排紙モータＭ２２を有する。また、パンチャ２００は、スルーパス２０９とパンチパス２１６を切換えるためのフラッパ２２０を駆動するソレノイドＳＬ１及び搬送センサ２１１〜２１３を有する。パンチャ２００は、搬送されたシートにパンチユニット２８０でパンチ処理、クリース処理を行うためのパンチモータＭ２５及びクリース処理の有効／無効を切換えるクリース切換スイッチ２８３も有する。
なお、クリース切換スイッチ２８３は、クリースダイが装着されているときのみ有効となる。
【００４０】
（フィニッシャ）
次に、フィニッシャ５００の構成について図７を参照しながら説明する。図７は、図１のフィニッシャ５００の断面図である。なお、特に断りのない限り、フィニッシャ５００におけるシートの搬送や搬送センサによる検出等は、いずれも後述するフィニッシャ制御部９５１によって制御される。
【００４１】
フィニッシャ制御部９５１は、パンチャ２００から排出されたシートを、搬送ローラ５１１を通じて搬送パス５２０に取り込む。フィニッシャ５００内部に取り込まれたシートは、搬送ローラ５１２、５１３、５１４及び５１５を介して積載トレイ７００へ向けて搬送される。
搬送パス５２０上には、搬送センサ５７０、５７１、５７２、５７３及び５７４が設けられており、それぞれシートの通過を検出している。シフトユニット５８０には、搬送ローラ５１２及び搬送センサ５７１が設けられている。シフトユニット５８０は、シフトモータＭ４により駆動され、搬送方向に直交する幅方向へと移動可能である。
【００４２】
シフトユニット５８０にシートが搬送されてきた場合、横端センサ５７７は、幅方向におけるシートの端部（横端）を検知する。次に、シートは、横端センサ５７７が検出した値に基づいて幅方向におけるシートの位置が調整されて下流へ搬送される。シフト指定がない場合は、シートをオフセットせずにそのままシートを搬送させる。
搬送センサ５７１の入力によってシートがシフトユニット５８０を通過したことが検知されると、シフトモータＭ４を駆動させて、シフトユニット５８０をセンター位置へと戻す。シフト動作が終了したシートは、搬送ローラ５１３、５１４及び５１５により積載トレイ７００へと排出される。積載トレイにはシートセンサ７４１が設けられており、積載された用紙があるか否かを検出する。
【００４３】
（フィニッシャブロック図）
次に、フィニッシャ５００を駆動制御するフィニッシャ制御部９５１の構成について図８を参照しながら説明する。図８は図２のフィニッシャ制御部９５１の構成を示すブロック図である。
【００４４】
フィニッシャ制御部９５１は、図８に示すように、ＣＰＵ９５２、ＲＯＭ９５３及びＲＡＭ９５４などで構成される。図示しない通信ＩＣを介して画像形成装置１０側に設けられた主制御部９００と通信して、実行すべき処理の情報や、シートの受け渡し通知などのデータ交換を行う。そして、主制御部９００からの指示に基づきＲＯＭ９５３に格納されている各種プログラムを実行してフィニッシャ５００の駆動制御を行う。
【００４５】
以下、フィニッシャ５００に備えられた各種入出力に関して説明する。
フィニッシャ５００は、記述したシートの搬送のために、搬送ローラ５１１〜５１５を駆動する入口モータＭ１、バッファモータＭ２、排紙モータＭ３及び搬送センサ５７０〜５７４が備えられている。搬送されたシートと搬送中心位置のズレ量を補正するために、シフトモータＭ４、横端センサ５７７が備えられている。また、積載トレイ７００を昇降させるための入出力として、トレイ昇降モータＭ５、トレイシートセンサ７４０が備えられている。
【００４６】
（パンチ処理の操作部設定）
次に、操作表示装置からパンチ処理を設定するときの手順について図３、図９及び図１０（ａ）、（ｂ）を参照して説明する。
ユーザは、パンチ処理を設定するために、図３に示す操作表示装置６００の表示部６２０における仕上げキー６２１を押下げる。ＣＰＵ９０１は、操作表示装置制御部９４１からの出力情報により仕上げキー６２１が押下げられたと判定すると、表示部６２０の画面を図９に示す仕上げ選択画面に遷移させる。
【００４７】
図９に示されるように、仕上げ選択画面には、仕上げの選択として「ソート」、「グループ」、「パンチ」の各ボタンが表示される。なお、この図においては、「パンチ」ボタンがユーザにより押下げられて反転表示になっている。この状態で、「ＯＫ」ボタンを押下げることで、後処理としてパンチ処理が設定され、初期画面へ遷移する。なお、仕上げ選択画面において、パンチ以外の仕上げが押下げられた場合は、押下げられたボタンに対応する仕上げが設定される。
【００４８】
後処理としてパンチ処理が設定された後にプリントやコピー等の処理がスタートされると、主制御部９００は、図１０に示すシート情報をパンチャ２００に通知する。パンチが設定された場合は図１０（ａ）、パンチが設定されなかった場合は図１０（ｂ）に示されるシート情報が通知される。
【００４９】
（クリース処理の設定）
図１１（ａ）、（ｂ）に、クリースモードを設定するためのクリース切換スイッチの説明図を示す。上述したように、画像形成装置１０にはパンチダイが設けられている。しかし、このパンチダイをクリースダイに交換することで、クリース処理を行うことができる。
図１１（ａ）に示されるように、パンチャ２００には、クリース切換スイッチ２８３が設けられている。クリース切換スイッチ２８３には、クリースモードの有効／無効を切換えるクリースキー２８４が備えられている。クリースキー２８４を一度押下げるとクリースモードが有効となり、クリースダイを用いた後処理が有効化として設定される。また、クリースキー２８４を、再度押下げると、クリースモードが無効化として設定され、クリースダイを用いた後処理が無効化される。また、パンチャ２００には、クリースモードが有効の際に点灯するＬＥＤ２８５が備えられている。
【００５０】
プリント処理等が行われたシートが画像形成装置１０から排出されてパンチャ２００に搬送されると、パンチャ制御部９７１のＣＰＵ９７２は、クリースダイが装着されているか否かを判定する。また、ＣＰＵ９７２は、クリースモードが有効に設定されているか否かを判定する。有効に設定されている場合には、パンチャ制御部９７１は、クリース処理を実行する。クリースモードが無効に設定されている場合や、クリースダイが装着されていない場合は、パンチャ制御部９７１は、クリース処理を実行しない。
【００５１】
なお、図１１（ｂ）に示されるように、クリース切換スイッチ２８３を簡易な表示部とソフトキーにより構成してもよい。この構成では、ユーザは、上下キー２８６、２８７によってクリースモードの設定画面を呼び出す。クリースモードを有効にする場合はＯＮボタン、無効にする場合はＯＦＦボタンを選択してＯＫキー２８８を押下げることで、ユーザは、クリースモードを切換えることが可能となる。パンチャ制御部９７１は、ユーザからの入力に応じてクリースモードを有効化又は無効化し、上述のようにクリース処理を実行する。
【００５２】
（パンチャ動作）
次に、パンチャ２００が後処理動作を行う際のＣＰＵ９７２における制御を図４及び図１２〜１４を用いて説明する。なお、図１２は、ＣＰＵ９７２がパンチャ２００の後処理動作時に実行する処理のフローチャート、図１３（ａ）、（ｂ）及び図１４（ａ）、（ｂ）は、図４に示されるパンチャの一部拡大図である。
【００５３】
図１２に示されるように、ＣＰＵ９７２は、画像形成装置１０からシート情報を受信したか否かを判定する（Ｓ１００１）。シート情報を受信していない場合（Ｓ１００１：Ｎ）には、再度Ｓ１００１を実行する。シート情報を受信した場合（Ｓ１００１：Ｙ）、シート情報を取得してＲＡＭ９７４に保存し（Ｓ１００２）、フィニッシャ５００にシート情報を送信する。
【００５４】
シート情報及びクリース切換スイッチ２８３の設定に応じてシートを搬送パスへ導くために、ＣＰＵ９７２は、後処理モードを実行するか否かを判定し（Ｓ１００３）、フラッパ２２０の動作を決定する。なお、後処理モードでは、パンチ処理又はクリース処理を行う。これらパンチ処理及びクリース処理については後述する。
【００５５】
ＣＰＵ９７２は、Ｓ１００３でシートが後処理モードを実行すると判定した場合（Ｓ１００３：Ｙ）、ソレノイドＳＬ１をＯＮにする。その後、図１３（ａ）に示されるように、フラッパ２２０をパンチパス２１６側に切換える（Ｓ１００４）。
ＣＰＵ９７２は、パンチパス上の紙を搬送するために、スルーパス搬送モータＭ２１とパンチパス排紙モータＭ２２とを駆動することにより搬送ローラ２０１〜２０９、２２１を回転させる（Ｓ１００５）。
【００５６】
ＣＰＵ９７２は、搬送センサ２１２がＯＮか否かを判定する（Ｓ１００７）。搬送センサ２１２がＯＮではなかった場合（Ｓ１００７：Ｎ）、ＣＰＵ９７２は、再度Ｓ１００７を実行する。
【００５７】
次に、ＣＰＵ９７２は、搬送センサ２１２がＯＮになってから、所定時間が経過したか否かを判定する（Ｓ１００９）。この所定時間は、パンチ処理におけるパンチ位置やクリース処理におけるクリース位置に応じて異なり、搬送センサ２１２の位置からシートを停止させる位置までの距離に応じた時間である。経過していない場合（Ｓ１００９：Ｎ）、再度Ｓ１００９を実行する。経過している場合（Ｓ１００９：Ｙ）、ＣＰＵ９７２は、パンチパス排紙モータＭ２２を停止させることにより搬送ローラ２０１〜２０９、２２１の回転を停止させる（Ｓ１０１０）。その後、ＣＰＵ９７２は、パンチモータＭ２５を駆動して後処理動作を行う（Ｓ１０１１）。
後処理動作終了後、ＣＰＵ９７２は、パンチパス排紙モータＭ２２を駆動させることにより搬送ローラ２０１〜２０９、２２１を回転させ（Ｓ１０１２）、シートを下流のフィニッシャ５００へ搬送する。
【００５８】
ＣＰＵ９７２は、シートが最終シートか否かを判定する（Ｓ１０１３）。最終シートではないと判定した場合（Ｓ１０１３：Ｎ）、ＣＰＵ９７２の処理は再度Ｓ１００１に戻る。紙フラグがＯＮであると判定した場合（Ｓ１０１３：Ｙ）、ＣＰＵ９７２は、処理を終了する。
また、ＣＰＵ９７２は、Ｓ１００３で後処理モードなしと判定した場合（Ｓ１００３：Ｎ）、図１３（ｂ）に示されるように、ソレノイドＳＬ１をＯＦＦにしてフラッパ２２０をスルーパス２１９側へ切換える（Ｓ１０１４）。このモードは、スルー搬送モードと称される。次に、スルーパス上の紙を搬送するために、ＣＰＵ９７２は、スルーパス搬送モータＭ２１を駆動し、搬送ローラ２０８、２０９、２２１を駆動し（Ｓ１０１５）、上述したＳ１０１３へと処理を進める。
【００５９】
（ダイ通信処理）
ダイ通信処理において図５に示されるパンチャ制御部９７１のＣＰＵ９７２が実行する制御を図１５のフローチャートに示す。この実施形態では、パンチダイ及びクリースダイにはダイメモリ２８２が設けられている。ダイメモリ２８２には、ダイが装着されていることを示す情報と、パンチダイとクリースダイとを識別するための情報と、が記憶される。
【００６０】
また、ＣＰＵ９７２は、ダイメモリ２８２から読み出した情報を参照して、パンチユニット２８０に装着されたダイに関する情報（以下、ダイ情報と記載する）をパンチャ制御部９７１のＲＡＭ９７４に記録する。ダイ情報には、装着されたダイの種別が記憶される。この実施形態では、装着されたダイがパンチダイか否かが記録される。
ＣＰＵ９７２は、ダイに備えられたダイメモリ２８２と通信が可能かであるか否かを判定する（Ｓ２００１）。通信が不可能であった場合（Ｓ２００１：Ｎ）、ＣＰＵ９７２は、ダイが装着されていないと判定し、ダイが非装着であることをＲＡＭ９７４に記憶し（Ｓ２００７）再度Ｓ２００１を実行する。
【００６１】
通信可能であった場合（Ｓ２００１：Ｙ）、ＣＰＵ９７２は、ダイメモリ２８２から情報を読み出し（Ｓ２００２）、ダイが装着されていることをＲＡＭ９７４に記憶する（Ｓ２００３）。
次に、ＣＰＵ９７２は、装着されたダイがパンチダイか否かを判定する（Ｓ２００４）。パンチダイであった場合（Ｓ２００４：Ｙ）、ＣＰＵ９７２は、ダイ情報として、装着されたダイがパンチダイであることをＲＡＭ９７４に記録し（Ｓ２００５）、処理を終了する。
【００６２】
パンチダイではなかった場合（Ｓ２００４：Ｎ）、ＣＰＵ９７２は、ダイ情報として、装着されたダイがパンチダイではないことをＲＡＭ９７４に記録し（Ｓ２００６）、処理を終了する。この実施形態では、パンチャ２００にもともと装着されているパンチダイではなく、パンチダイに代えて新たに装着されたダイ、即ち新規ダイが装着されていることをダイ情報として記憶する。従って、ＣＰＵ９７２は、クリースダイが装着されている場合には、新規ダイが装着されていることをダイ情報として記憶する。これにより、ＣＰＵ９７２は、装着されたダイがパンチダイ、クリースダイのいずれかであるかを検知する検知手段として動作する。
以上のように、ＣＰＵ９７２は、ダイが装着されているか否かと、ダイの種別とを判定してＲＡＭ９７４に記憶する。これらの情報は、必要に応じて主制御部９００に通知される。
【００６３】
（後処理モード決定処理）
次に、パンチャ２００が後処理モードを決定する際の処理を説明する。図１６に、パンチャ２００が後処理モードを決定する際にＣＰＵ９７２が実行する処理のフローチャートを示す。なお、この実施形態では、ユーザによりパンチ処理が指示された場合、画像形成装置１０は、パンチ指定がＯＮ又はＯＦＦであることを示すシート情報をＣＰＵ９７２に通知するものとした。これにより、ＣＰＵ９７２は、画像形成装置１０から、パンチダイを用いた後処理を実行するか実行しないかの情報を受け取る。画像形成装置１０は、パンチダイ（第１後処理部材）には対応しているが、クリースダイ（第２後処理部材）等の他のタイプのダイには対応していない。従って、クリースダイ等による処理については、画像形成装置１０から処理を指定する情報がＣＰＵ９７２に与えられることはない。
【００６４】
ＣＰＵ９７２は、ダイが装着されているか否かを判定する（Ｓ３００１）。ダイが装着されていない場合(Ｓ３００１：Ｎ)、ＣＰＵ９７２は、後処理を行わない（Ｓ３００７）。
ダイが装着されている場合（Ｓ３００１：Ｙ）、ＣＰＵ９７２は、装着されているダイがパンチダイか否か判定する（Ｓ３００２）。パンチダイが装着されていた場合(Ｓ３００２：Ｙ)は、ＣＰＵ９７２は、画像形成装置１０から通知されたシート情報からパンチ指定がＯＮであるか否かを判定する（Ｓ３００３）。
【００６５】
パンチ指定がＯＮである場合(Ｓ３００３：Ｙ)、ＣＰＵ９７２は、パンチ処理を実行すると決定する（Ｓ３００４）。パンチ指定がＯＦＦである場合(Ｓ３００３：Ｎ)、ＣＰＵ９７２は、後処理は行わない（Ｓ３００７）。
装着されているダイがパンチダイでないと判定された場合（Ｓ３００２：Ｎ)、ＣＰＵ９７２は、クリース切換スイッチ２８３がクリースＯＮに設定されているか否かを判定する（Ｓ３００５）。
【００６６】
クリースＯＮに設定されていた場合（Ｓ３００５：Ｙ)、ＣＰＵ９７２は、クリース処理を実行する（Ｓ３００６）。Ｓ３００５においてクリースＯＮに設定されていなかった場合（Ｓ３００５：Ｎ)、ＣＰＵ９７２は、後処理を行わない（Ｓ３００７）。従って、この場合は、クリース機能が有効化されていても、シートに対してパンチダイを使用した後処理は行われない。
以上のように、本実施形態では、クリース切換スイッチ２８３の設定と画像形成装置からの情報の内容とに応じて、パンチ処理又はクリース処理のいずれかを実行するか、又は両方ともに実行しないかを決定することができる。
【００６７】
図１７に、クリース切換スイッチ２８３の設定と画像形成装置からの通知との組み合わせによりシステム動作がどのように決定されるかを表すマトリクスを示す。クリース切換スイッチ２８３の設定がＯＮの場合、クリースダイである新規ダイが装着されている場合にのみクリース処理が行われる。また、既存ダイであるパンチダイが装着されている場合は、画像形成装置１０からの指定がＯＮの場合にはパンチ処理が行われ、ＯＦＦの場合にはパンチ処理は行われない。従って、ＣＰＵ９７２によって検知されたダイがパンチダイであるときは、クリース切換スイッチ２８３での設定にかかわらず、画像形成装置１０からの情報に従って後処理を実行するか否かが決定される。
【００６８】
一方、クリース切換スイッチ２８３の設定がＯＦＦの場合、新規ダイが装着されているか否かにかかわらず、クリース処理は行われない。既存ダイが装着されている場合には、画像形成装置１０からの指定がＯＮの場合にはパンチ処理が行われ、ＯＦＦの場合にはパンチ処理は行われない。
また、新規ダイであるクリースダイが装着されているときは、画像形成装置１０からの情報にかかわらず、クリース切換スイッチ２８３の設定に従って、クリース処理を行うか否かを決定している。
なお、画像形成装置１０は新規ダイに対応していないので、画像形成装置１０は、新規ダイについてＯＮ、ＯＦＦを指定する情報をＣＰＵ９７２に通知しない。従って、図１７において、新規ダイについては、画像形成装置１０からの情報は「指定なし」と表記した。
【００６９】
[第２実施形態]
以下、第２実施形態について説明する。なお、装置構成やフローチャートなどにおいて第１実施形態と同様の部分については説明を省略する。
第１実施形態においては、後処理装置が接続される画像形成装置１０は、パンチダイにのみ対応してパンチダイＯＮ、ＯＦＦを指定している。
第２実施形態においては、画像形成システム１において、画像形成装置１０が複数種類のダイに対応している例を示す。つまり、画像形成装置１０には、複数種類のダイが登録されている。
【００７０】
（後処理モードの設定）
この実施形態において、後処理モードをパンチャ２００で設定するときの手順について図１８（ａ）、図１８（ｂ）及び図１９を用いて説明する。
ユーザは、パンチャ２００に対して、画像形成装置１０から排出されたシートに後処理を行うか否かの設定を行う。
【００７１】
図１８（ａ）に、パンチャ２００上に備えられた後処理モード切換スイッチ２８９を示す。
後処理モード切換スイッチ２８９には、後処理モードの有効／無効を切換える後処理ＯＮ／ＯＦＦキー２９０が備えられている。後処理ＯＮ／ＯＦＦキー２９０を一度押下げると後処理モードが有効化として設定され、再度押下げると後処理モードが無効化として設定される。また、パンチャ２００には、後処理モードが有効化されている際に点灯するＬＥＤ２９１が備えられている。
【００７２】
プリント処理等が行われたシートは、画像形成装置１０から排出されてパンチャ２００に搬送される。ＣＰＵ９７２は、後処理装置であるパンチャ２００に装着されているダイが画像形成装置１０に登録されているダイか否かを判定する。その後、ＣＰＵ９７２は、後処理モード切換スイッチ２８９で後処理モードが有効化されているかを判定し、後処理を行うか否かを判定する。その詳細は後述する。
【００７３】
なお、図１８（ｂ）に示されるように、後処理モード切換スイッチ２８９を簡易な表示部とソフトキーにより構成してもよい。この構成では、ユーザは、上下キー２９２、２９３によって後処理モードの設定画面を呼び出す。後処理モードを有効にする場合はＯＮボタン、無効にする場合はＯＦＦボタンを選択してＯＫキー２９４を押下げることで、ユーザは、後処理モードを切換えることが可能となる。パンチャ制御部９７１は、ユーザからの入力に応じて後処理モードを有効化又は無効化して上述のクリース処理を実行する。
【００７４】
（ダイ通信処理）
図１９に、この実施形態におけるダイ通信処理でＣＰＵ９７２が実行する制御を表すフローチャートを示す。この実施形態では、各ダイにはダイメモリ２８２が設けられている。ダイメモリ２８２には、ダイが装着されていることを示す情報と各ダイを識別するための情報とが記録される。
また、ＣＰＵ９７２は、ダイメモリ２８２から読み出した情報を参照して、パンチユニット２８０に装着されたダイに関する情報としてダイ情報をパンチャ制御部９７１のＲＡＭ９７４に記録する。ダイ情報には、装着されたダイの種別が記憶される。
【００７５】
ＣＰＵ９７２は、ダイに備えられたダイメモリ２８２と通信が可能か否か判定する（Ｓ４００１）。通信不可能であった場合（Ｓ４００１：Ｎ）、ＣＰＵ９７２は、ダイが装着されていないと判定し、ダイが非装着であることをＲＡＭ９７４に記憶して（Ｓ４００５）再度Ｓ４００１を実行する。
通信可能であった場合（Ｓ４００１：Ｙ）、ＣＰＵ９７２は、ダイメモリ２８２から情報を読み出し（Ｓ４００２）、ダイが装着されていることをＲＡＭ９７４に記憶する（Ｓ４００３）。
次に、ＣＰＵ９７２は、ダイメモリ２８２から得られたダイ種別をＲＡＭ９７４に記憶（Ｓ４００４）し、処理を終了する。
【００７６】
以上のように、この実施形態ではダイが装着されているか否か及びダイの種別をＣＰＵ９７２が判定してＲＡＭ９７４に記憶する。これらの情報は、必要に応じて主制御部９００に通知される。
【００７７】
（後処理モード決定処理）
次に、パンチャ２００が後処理モードを決定する際のＣＰＵ９７２の動作について図２０、図２１及び図２２を参照し説明する。
図２０に、後処理モード決定処理においてＣＰＵ９７２が実行する処理のフローチャートを示す。
【００７８】
なお、この例は、ダイの種別として第１ダイ、第２ダイ及び第３ダイの３種類のダイを用いた。画像形成装置１０に登録されているダイ（対応ダイ）は第１ダイであり、その他のダイは登録されていない（未対応ダイ）。また、第１ダイは、第１実施形態と同様にパンチダイを用いた。
ユーザによって、第１ダイによるパンチ処理が指示された場合、画像形成装置１０は、対応ダイによる後処理指定がＯＮ又はＯＦＦであることを示すシート情報をＣＰＵ９７２に通知する。画像形成装置１０は、パンチダイである第１ダイには対応しているが、第２ダイ及び第３ダイには対応していない。従って、第２ダイ及び第３ダイでの処理については、画像形成装置１０から処理が指定されることはない。
【００７９】
ＣＰＵ９７２は、パンチャ２００のパンチユニットダイが装着されているか否かを判定する（Ｓ５００１）。ダイが装着されていなかった場合（Ｓ５００１：Ｎ）、ＣＰＵ９７２は、後処理を行わず（Ｓ５００２）、処理を終了する。
ダイが装着されていた場合（Ｓ５００１：Ｙ）、ＣＰＵ９７２は、ダイ情報を参照して、装着されているダイが対応ダイであるか否かの判定を行う（Ｓ５００３）。この判定は、画像形成装置１０から得られる画像形成装置の種類と、後述する図２１に示される画像形成装置の種類と対応するダイとの対応表と、を参照して実行される。
【００８０】
その後、ＣＰＵ９７２は、対応ダイが装着されているか否かを判定する（Ｓ５００４）。対応ダイが装着されている場合（Ｓ５００４：Ｙ）、ＣＰＵ９７２は、画像形成装置１０から通知されたシート情報を参照し、後処理指定がＯＮか否かを判定する（Ｓ５００５）。この実施形態では、パンチ処理の指定がＯＮか否かを判定する。
後処理指定がＯＮである場合（Ｓ５００５：Ｙ）、ＣＰＵ９７２は、後処理を実行して（Ｓ５００７）処理を終了する。Ｓ５００５において後処理設定が有りに指定されていなかった場合（Ｓ５００５：Ｎ）、ＣＰＵ９７２は、後処理を行わず（Ｓ５００２）、処理を終了する。
【００８１】
一方、Ｓ５００４において対応ダイが装着されていないと判定された場合（Ｓ５００４：Ｎ）、ＣＰＵ９７２は、後処理装置で後処理モードの設定がなされているか否かを判定する（Ｓ５００６）。この実施形態では、後処理モード切換スイッチ２８９が後処理モード有効に設定されているか否か判定する。後処理モード有効に設定されていた場合（Ｓ５００６：Ｙ）、後処理を実行して（Ｓ５００７）処理を終了する。Ｓ５００６において後処理モード有効に設定されていなかった場合（Ｓ５００６：Ｎ）、後処理を行わず（Ｓ５００２）、処理を終了する。
【００８２】
次に、装着されているダイが対応ダイであるか否かの判定（Ｓ５００３）に用いられる、機種情報を示す対応表の一例を図２１に示す。この対応表では、画像形成装置Ａ、Ｂ及びＣのそれぞれについて、第１ダイ、第２ダイ及び第３ダイに対応しているか否かが示されている。
【００８３】
画像形成装置Ａは、第１ダイに対応し、その他のダイには対応していない。従って、画像形成装置Ａを画像形成装置１０として用いた場合、図２０に示されるフローチャートのＳ５００４の判定結果は、第１ダイについてはＹ、その他のダイについてはＮとなる。
同様に、画像形成装置Ｂを画像形成装置１０として用いた場合、図２０に示されるフローチャートのＳ５００４の判定結果は、第１ダイ及び第２ダイについてはＹ、第３ダイについてはＮとなる。更に、画像形成装置Ｃを画像形成装置１０として用いた場合、図２０に示されるフローチャートのＳ５００４の判定結果は、いずれのダイについてもＹとなる。
【００８４】
ＣＰＵ９７２は、画像形成装置１０から得られる画像形成装置の種別から、画像形成装置１０が画像形成装置Ａ、Ｂ、Ｃのいずれであるかを判定する。そして、ダイ情報に記録されたダイの種別から、各ダイが画像形成装置１０に対応するか否かを判定する。
【００８５】
図２２に、後処理モード切換スイッチ２８９の設定と画像形成装置からの通知との組み合わせによりシステム動作がどのように決定されるかを表すマトリクスを示す。
図２２のマトリクスに示されるように、後処理モード切換スイッチ２８９の設定がＯＮの場合、未対応ダイが装着されている場合には後処理が行われる。また、対応ダイが装着されている場合は、画像形成装置１０からの指定に従って、対応ダイによるパンチ処理が行われる。
【００８６】
一方、後処理モード切換スイッチ２８９の設定がＯＦＦの場合、未対応ダイが装着されている場合であっても後処理は行われない。また、対応ダイが装着されている場合には、画像形成装置１０からの指定がＯＮの場合にはパンチ処理が行われ、ＯＦＦの場合にはパンチ処理は行われない。
なお、画像形成装置１０は、未対応ダイについてＯＮ、ＯＦＦの指定は行わない。未対応ダイは画像形成装置に登録されていないからである。従って、図２２において、未対応ダイについては、画像形成装置１０からの指定は「指定なし」と表記した。
【００８７】
このように後処理を実行するか否かを決定することで、後処理モード切換スイッチ２８９がＯＮであっても、画像形成装置１０からの対応ダイへの指定がＯＦＦでかつ対応ダイが装着されている場合には、対応ダイでの後処理を行わない。従って、ユーザが対応ダイでの後処理を望んでいないにも拘わらず対応ダイでの後処理が行われてしまうことが抑制される。
【００８８】
一方、後処理モード切換スイッチ２８９がＯＮで画像形成装置１０からの指定がＯＮである場合には、未対応ダイを図２２に示すように動作することが可能となる。すなわち、対応ダイが装着されている場合には、後処理モード切換スイッチ２８９の設定に関係なく、画像形成装置１０から指定された後処理モードを実行する。また、未対応ダイが装着されている場合には、後処理モード切換スイッチ２８９の設定に従って後処理モードを実行するか否かを判定するする。
【００８９】
このように、第２実施形態では、画像形成装置１０から通知された機種情報をもとに、後処理装置が保持している情報に基づき、画像形成装置１０が装着中のダイに対応しているかを判定した。
他の判定方法として、画像形成装置１０から装着中のダイへの対応状況を直接通知するようにしてもよい。
【００９０】
以上説明した例では、ダイが画像形成装置１０に対応するか否かは、図２１に示される画像形成装置の種類と対応するダイとの対応表を参照して後処理装置であるパンチャ２００のＣＰＵ９７２が判定している。しかし、この判定を画像形成装置１０で行うこともできる。この場合、ダイメモリ２８２から得られる、ダイを識別するための情報が画像形成装置１０に送信され、画像形成装置１０の主コントローラ９００が図２１の対応表を参照して判定を行う。従って、後処理装置のＣＰＵ９７２は図２１の対応表にアクセスする必要はない。
【００９１】
この場合、ＣＰＵ９７２は、図２２において画像形成装置１０から得られる情報で、識別されたダイについて"ＯＮ"又は"ＯＦＦ"が指定されていた場合は画像形成装置１０が装着中のダイに対応していると判定する。また、画像形成装置１０からの情報において"指定なし"が通知された場合は、画像形成装置１０が装着中のダイに未対応と判定する。
以上のように、第２実施形態においても、装着されているダイの種類に応じて適切な設定手段によって後処理の実施有無を切換えることが可能となる。その結果、不要な後処理を実施してしまうことを防止できる。
【図１】
2019167249.tif 000003
【図２】
2019167249.tif 000004
【図３】
2019167249.tif 000005
【図４】
2019167249.tif 000006
【図５】
2019167249.tif 000007
【図６】
2019167249.tif 000008
【図７】
2019167249.tif 000009
【図８】
2019167249.tif 000010
【図９】
2019167249.tif 000011
【図１０】
2019167249.tif 000012
【図１１】
2019167249.tif 000013
【図１２】
2019167249.tif 000014
【図１３】
2019167249.tif 000015
【図１４】
2019167249.tif 000016
【図１５】
2019167249.tif 000017
【図１６】
2019167249.tif 000018
【図１７】
2019167249.tif 000019
【図１８】
2019167249.tif 000020
【図１９】
2019167249.tif 000021
【図２０】
2019167249.tif 000022
【図２１】
2019167249.tif 000023
【図２２】
2019167249.tif 000024
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
装着された後処理部材を使用して、画像形成装置から受け取ったシートに対して後処理を行うとともに、前記後処理部材としての第１後処理部材と第２後処理部材との一方が着脱可能に設けられる後処理装置であって、
前記装着された後処理部材が前記第１後処理部材と前記第２後処理部材とのいずれであるかを検知する検知手段と、
前記画像形成装置からの指示を受信して前記装着された後処理部材を用いた前記後処理の実行を制御する制御手段と、
前記第２後処理部材を用いた前記後処理を有効化するか否かの設定をユーザから受け付ける設定手段と、を有し、
前記制御手段は、前記検知手段により検知された後処理部材のタイプが前記第１後処理部材に対応する場合、前記設定手段の設定にかかわらず、前記第１後処理部材を用いた前記後処理を実行しないとの情報を前記画像形成装置から受け取った場合は、前記画像形成装置からの前記第１後処理部材を用いた後処理を実行することの指示の有無に基づいて、前記第１後処理部材を用いた後処理を実行するか否かを決定し、かつ、前記検知手段により検知された前記後処理部材のタイプが前記第２後処理部材に対応する場合、
前記設定手段の設定に基づいて、前記第２後処理部材を用いた後処理を実行するか否かを判定することを特徴とする、
後処理装置。
【請求項２】
前記後処理部材は、当該後処理部材のタイプを識別するための情報が記憶された記憶手段を有し、
前記検知手段は、前記記憶手段から読み出した情報に基づいて、前記装着された後処理部材が前記第１後処理部材または前記第２後処理部材のいずれであるかを検知することを特徴とする、
請求項１に記載の後処理装置。
【請求項３】
前記制御手段は、前記第２後処理部材が前記後処理装置に装着されている場合には、前記画像形成装置から得られる前記第１後処理部材を用いた後処理に関する情報にかかわらず、前記設定手段での設定に従って前記第２後処理部材を用いた後処理を行うか否かを決定することを特徴とする、
請求項１または２に記載の後処理装置。
【請求項４】
装着された後処理部材を使用して、画像形成装置から受け取ったシートに対して後処理を行うとともに、前記後処理部材としてそれぞれ着脱可能な複数タイプの後処理部材が設けられる後処理装置であって、
前記装着された後処理部材を識別する識別手段と、
前記画像形成装置からの指示を受信して前記装着された後処理部材を用いた後処理の実行を制御する制御手段と、
前記後処理装置での前記後処理部材による後処理を有効化するか否かの設定を受け付ける設定手段と、を有し、
前記制御手段は、前記識別手段で識別された後処理部材のタイプが第１タイプである場合、前記設定手段の設定にかかわらず、前記画像形成装置からの前記第１タイプの後処理部材を用いた後処理を実行することの指示の有無に基づいて、前記第１タイプの後処理部材を用いた後処理を実行するか否かを決定し、かつ、前記識別手段で識別された前記後処理部材のタイプが第２タイプである場合、前記設定手段の設定に基づいて、前記第２タイプの後処理部材を用いた後処理を実行するか否かを決定することを特徴とする、
後処理装置。
【請求項５】
前記後処理部材は、当該後処理部材のタイプを識別するための情報が記憶された記憶手段を有し、かつ、
前記識別手段は、前記記憶手段から読み出した情報に基づいて、前記装着された後処理部材のタイプを識別する、
請求項４に記載の後処理装置。
【請求項６】
前記制御手段は、前記識別された後処理部材のタイプが前記第２タイプであるときには、前記画像形成装置から得られる情報にかかわらず、前記設定手段での設定に従って前記識別された後処理部材を用いた後処理を行うか否かを決定することを特徴とする、
請求項４または５に記載の後処理装置。
【請求項７】
装着された後処理部材を使用して、画像形成装置から受け取ったシートに対して後処理を行うとともに、前記後処理部材としての第１後処理部材と第２後処理部材との一方が着脱可能に設けられる後処理装置が実行する方法であって、
前記装着された後処理部材のタイプが前記第１後処理部材と前記第２後処理部材とのいずれであるかを検知し、
前記第２後処理部材を用いた前記後処理を有効化するか否かの設定を、前記後処理装置内に設けられた設定手段を用いてユーザから受け付け、
前記検知された後処理部材のタイプが前記第１後処理部材で、かつ、前記第１後処理部材を用いた後処理を実行しないことの情報を前記画像形成装置から受け取った場合、前記設定手段で前記第２後処理部材を用いた前記後処理が有効化されていても前記シートに対して前記第１後処理部材を用いた後処理を実行しないと決定し、かつ、
検知された前記後処理部材のタイプが前記第２後処理部材に対応する場合、前記設定手段の設定に基づいて、前記第２後処理部材を用いた後処理を実行するか否かを決定することを特徴とする、
方法。
【請求項８】
装着された後処理部材を使用して、画像形成装置から受け取ったシートに対して後処理を行うとともに、前記後処理部材としてそれぞれ着脱可能な複数タイプの後処理部材が設けられる後処理装置が実行する方法であって、
前記装着された後処理部材のタイプを識別し、
前記後処理装置での前記後処理部材による後処理を有効化するか否かの設定を、前記後処理装置内に設けられた設定手段を用いてユーザから受け付け、
前記識別された後処理部材のタイプが第１タイプである場合、前記設定手段の設定にかかわらず、前記画像形成装置からの前記第１タイプの後処理部材を用いた後処理を実行することの指示の有無に基づいて、前記第１タイプの後処理部材を用いた後処理を実行するか否かを決定し、かつ、前記識別された前記後処理部材のタイプが第２タイプである場合、前記設定手段の設定に基づいて、前記第２タイプの後処理部材を用いた後処理を実行するか否かを決定することを特徴とする、
方法。
【請求項９】
画像形成装置と、
装着された後処理部材を使用して、前記画像形成装置から受け取ったシートに対して後処理を行うとともに、前記後処理部材としての第１後処理部材と第２後処理部材との一方が着脱可能に設けられる後処理装置と、
を備えた画像形成システムであって、
前記画像形成装置は、ユーザから、前記第１後処理部材を用いた後処理を有効化するか否かを表す第１設定を受け付ける第１設定手段を有し、
前記後処理装置は、前記装着された後処理部材が前記第１後処理部材と前記第２後処理部材とのいずれであるかを検知する検知手段と、前記画像形成装置からの指示に基づいて、前記装着された後処理部材を用いた後処理の実行を制御する制御手段と、前記第２後処理部材を用いた後処理を有効化するか否かの設定をユーザから受け付ける設定手段と、を有し、
前記制御手段は、
検知された前記後処理部材のタイプが前記第１後処理部材に対応する場合、前記設定手段の設定にかかわらず、前記第１後処理部材を用いた後処理を実行しないことの情報を前記画像形成装置から受け取った場合は、前記画像形成装置からの前記第１設定に基づいて、前記第１後処理部材を用いた後処理を実行するか否かを決定し、
検知された前記後処理部材のタイプが前記第２後処理部材に対応する場合、前記設定手段の設定に基づいて、前記第２後処理部材を用いた後処理を実行するか否かを決定することを特徴とする、
画像形成システム。
【請求項１０】
画像形成装置と、
後処理部材を使用して、画像形成装置から受け取ったシートに対して後処理を行う後処理装置と、を備えた画像形成システムであって、
前記画像形成装置は、ユーザから入力される、複数のタイプの後処理部材のうち前記画像形成装置に登録された種類の後処理部材を用いた前記後処理を実行するか否かの第１設定を受け付ける第１設定手段を有し、
前記後処理装置は、
前記後処理装置に設置された後処理部材のタイプを識別する識別手段と、
前記後処理装置での前記設置された後処理部材を用いた後処理の実行を制御する制御手段と、
前記後処理部材による前記後処理を有効化するか否かの設定をユーザから受け付ける設定手段と、を有し、
前記制御手段は、
前記識別手段で識別された前記後処理部材のタイプが第１タイプである場合、前記設定手段の設定にかかわらず、前記画像形成装置からの前記第１タイプの後処理部材を用いた後処理を実行することの指示の有無に基づいて、前記第１タイプの後処理部材を用いた後処理を実行するか否かを決定し、前記識別手段で識別された前記後処理部材のタイプが第２タイプである場合、前記設定手段の設定に基づいて、前記第２タイプの後処理部材を用いた後処理を実行するか否かを決定することを特徴とする、
画像形成システム。
【請求項１１】
装着された後処理部材を使用して、画像形成装置から受け取ったシートに対して後処理を行うとともに、前記後処理部材として、前記画像形成装置が識別可能である第１後処理部材と、前記画像形成装置が識別できない第２後処理部材とが選択的に装着される後処理装置であって、
前記後処理装置は、
前記装着された後処理部材の種類を検知する検知手段と、
前記装着された後処理部材を用いた前記後処理の実行を制御する制御手段と、
前記第２後処理部材を用いた後処理を有効化するか否かを表す設定をユーザから受け付ける設定手段と、を有し、
前記制御手段は、前記検知手段により検知された後処理部材が前記第１後処理部材であるときは、前記画像形成装置からの指定に従って前記第１後処理部材を用いた後処理を実行するか否かを決定し、前記検知手段により検知された後処理部材が前記第２後処理部材であるときは、前記設定手段の設定に従って前記第２後処理部材を用いた後処理を実行するか否かを決定することを特徴とする、後処理装置。
【請求項１２】
画像形成装置と、
装着された後処理部材を使用して、前記画像形成装置から受け取ったシートに対して後処理を行うとともに、前記後処理部材として、前記画像形成装置が識別可能である第１後処理部材と、前記画像形成装置が識別可能できない第２後処理部材とが選択的に装着される後処理装置と、
を備えた画像形成システムであって、
前記画像形成装置は、前記第１後処理部材を用いた後処理を実行するか否かを表す第１設定をユーザから受け付ける第１設定手段を有し、
前記後処理装置は、
前記装着された後処理部材が前記第１後処理部材と前記第２後処理部材とのいずれであるかを検知する検知手段と、
前記装着された後処理部材を用いた前記後処理の実行を制御する制御手段と、
前記第２後処理部材を用いた後処理を有効化するか否かを表す第２設定をユーザから受け付ける第２設定手段と、を有し、
前記制御手段は、前記検知手段により検知された後処理部材が前記第１後処理部材であるときは、前記第１設定手段の前記第１設定に従って前記第１後処理部材を用いた後処理を実行するか否かを決定し、前記検知手段により検知された後処理部材が前記第２後処理部材であるときは、前記第２設定手段の前記第２設定に従って前記第２後処理部材を用いた前記後処理を実行するか否かを決定することを特徴とする、画像形成システム。